(57)【特許請求の範囲】
【請求項１】
使用者に装着される子守帯本体と、幼児を縦抱き姿勢で保持すべく前記子守帯本体に装着可能であり、上端には幼児の頭部を支持する頭部保護部が下方に折り返し可能に設けられた縦抱き用シートと、前記頭部保護部から側方に突出して両端が前記子守帯本体に連結可能であり、かつ前記頭部保護部とともに下方に折り返されるように設けられたヘッドサポートとを備え、前記ヘッドサポートは、前記頭部保護部から下方に向かって弓形に湾曲しつつ延びる支持部と、前記支持部の両端から前記支持部の外周側に折れ曲がるように延びる連結部とが設けられ、前記ヘッドサポートの前記連結部の外面側と、前記子守帯本体のヘッドサポート取付位置とのそれぞれには、互いに連結及び分離が可能であり連結状態において相互に回転可能な留め具が設けられている、ことを特徴とする子守帯。
【請求項２】
前記ヘッドサポートの前記支持部と前記連結部との境界位置に折り曲げ線が設けられていることを特徴とする請求項１に記載の子守帯。
【請求項３】
前記折り曲げ線が前記ヘッドサポートの生地を厚み方向に縫い合わせる縫製によって形成されていることを特徴とする請求項２に記載の子守帯。
【請求項４】
前記ヘッドサポートの前記連結部に設けられる留め具が、該留め具の回転中心線を挟んだ両側で前記連結部に固定されていることを特徴とする請求項１に記載の子守帯。
【請求項５】
前記ヘッドサポートの前記連結部及び前記子守帯本体の前記ヘッドサポート取付位置のそれぞれに設けられる留め具間には、両留め具を回転方向に関して前記頭部保護部が上方に延ばされた状態に適した位置、前記頭部保護部が下方に折り返された状態に適した位置のそれぞれに拘束するロック手段が設けられていることを特徴とする請求項１に記載の子守帯。
【請求項６】
前記ロック手段として、前記ヘッドサポートの前記連結部及び前記子守帯本体の前記ヘッドサポート取付位置のそれぞれに設けられる留め具同士の対向面に凹凸部が設けられていることを特徴とする請求項５に記載の子守帯。
【請求項７】
前記ヘッドサポートの前記支持部には長さ調整手段が設けられていることを特徴とする請求項１に記載の子守帯。
【請求項８】
前記支持部には、前記長さ調整手段として前記支持部の長手方向に折り畳み可能な変形部とその変形部の両側に配置されて互いに連結及び解除が可能な一対のフックとが設けられていることを特徴とする請求項７に記載の子守帯。
【請求項９】
前記ヘッドサポートが前記頭部保護部に対して抜き差し可能な別部品として構成され、前記長さ調整手段は、前記ヘッドサポートの前記頭部保護部に隠れる部分に設けられていることを特徴とする請求項７又は８に記載の子守帯。
【発明の詳細な説明】
【技術分野】
【０００１】
本発明は、幼児の頭部保護部をヘッドサポートによって子守帯本体と連結する構造の子守帯に関する。
【背景技術】
【０００２】
肩帯に縦抱き用シートを取り付けて幼児を縦抱き姿勢で保持する子守帯において、縦抱き用シートの上端に頭部保護部を設け、その頭部保護部をヘッドサポートを介して肩帯に連結する子守帯が知られている（特許文献１参照）。
【特許文献１】特開２００２−２８２０９７号公報
【発明の開示】
【発明が解決しようとする課題】
【０００３】
頭部保護部を縦抱き用シートの外側下方に折り返せるように構成した場合、ヘッドサポートが捩られるために、頭部保護部の折り返しに伴ってヘッドサポートを肩帯に対して裏返して付け直す必要がある。このような不都合を解消するためにヘッドサポートと肩帯とを相対回転可能な一対の留め具を介して連結することが検討されている。しかし、留め具同士を回転可能とした場合、頭部保護部の折り返しに伴う捩れ作用でヘッドサポートが内側に入り込み、幼児の快適性が損なわれるおそれがある。
【０００４】
そこで、本発明は頭部保護部を折り返す際にヘッドサポートを付け直す必要がなく、かつヘッドサポートの内側への捩れを抑えて幼児の頭部回りの快適性を高めた子守帯を提供することを目的とする。
【課題を解決するための手段】
【０００５】
本発明の子守帯は、使用者に装着される子守帯本体（２）と、幼児を縦抱き姿勢で保持すべく前記子守帯本体に装着可能であり、上端には幼児の頭部を支持する頭部保護部（４２）が下方に折り返し可能に設けられた縦抱き用シート（３）と、前記頭部保護部から側方に突出して両端が前記子守帯本体に連結可能であり、かつ前記頭部保護部とともに下方に折り返されるように設けられたヘッドサポート（４６）とを備え、前記ヘッドサポートは、前記頭部保護部から下方に向かって弓形に湾曲しつつ延びる支持部（７０）と、前記支持部の両端から前記支持部の外周側に折れ曲がるように延びる連結部（７１）とが設けられ、前記ヘッドサポートの前記連結部の外面側と、前記子守帯本体のヘッドサポート取付位置とのそれぞれには、互いに連結及び分離が可能であり連結状態において相互に回転可能な留め具（７５、８１）が設けられた子守帯により、上述した課題を解決する。
【０００６】
この発明の子守帯によれば、ヘッドサポートと肩帯とを相対回転可能な一対の留め具にて連結しているので、頭部保護部を折り返す際にヘッドサポートの両端部を裏返して肩帯に付け直す必要がない。しかも、ヘッドサポートの支持部を弓形に湾曲させているので、頭部保護部を延ばした状態で連結部の外面側を肩帯と連結した場合には、ヘッドサポートの支持部が外側に張り出すようになって幼児の頭部回りのスペースが大きく確保される。そして、支持部の両側に設けられた連結部が、湾曲した支持部の外周側に折れ曲がるように延びているので、ヘッドサポートの全体を弓形に湾曲させた場合と比較して頭部保護部を折り返した際の支持部の内側への捻れの程度が軽減される。これにより幼児の快適性が高く維持される。
【０００７】
本発明の子守帯においては、前記ヘッドサポートの前記支持部と前記連結部との境界位置に折り曲げ線（７４）が設けられてもよい。この態様によれば、頭部保護部を折り返したときにヘッドサポートの連結部に対して支持部が外側に折れ曲がり、縦抱き用シートの内面側への支持部の捻れが一層軽減される。なお、前記折り曲げ線は前記ヘッドサポートの生地を厚み方向に縫い合わせる縫製によって形成することができる。
【０００８】
本発明の子守帯においては、前記ヘッドサポートの前記連結部に設けられる留め具（７５）が、該留め具の回転中心線を挟んだ両側で前記連結部に固定されてもよい。このように留め具を連結部に取り付けることにより、ヘッドサポート側の留め具の回転中心に対する連結部の内側へのずれを抑えることができる。これにより、支持部の内側への捻れを確実に抑えることができる。
【０００９】
本発明の子守帯においては、前記ヘッドサポートの前記連結部及び前記子守帯本体の前記ヘッドサポート取付位置のそれぞれに設けられる留め具間には、両留め具を回転方向に関して前記頭部保護部が上方に延ばされた状態に適した位置、前記頭部保護部が下方に折り返された状態に適した位置のそれぞれに拘束するロック手段（７９ａ、７９ｂ、８２ａ、８２ｂ）が設けられてもよい。このようなロック手段を設けることにより、留め具間における回転方向への過度の遊びを抑えて、頭部保護部が延ばされた状態及び折り返された状態のそれぞれにおけるヘッドサポートの姿勢を安定させることができる。なお、前記ロック手段としては、前記ヘッドサポートの前記連結部及び前記子守帯本体の前記ヘッドサポート取付位置のそれぞれに設けられる留め具同士の対向面（７６ａ、８１ｅ）に凹凸部（７９ａ、７９ｂ、８２ａ、８２ｂ）を設けることができる。このような凹凸部によれば、簡単な構成で留め具間の回転を適度に拘束できる。
【００１０】
本発明の子守帯において、前記ヘッドサポートの前記支持部には長さ調整手段（７２、７３ａ、７３ｂ）が設けられてもよい。支持部に長さ調整手段を設けることにより、連結部の回転に対して長さ調整手段が邪魔にならない利点がある。また、前記支持部には、前記長さ調整手段として前記支持部の長手方向に折り畳み可能な変形部（７２）とその変形部の両側に配置されて互いに連結及び解除が可能な一対のフック（７３ａ、７３ｂ）とが設けられてもよい。この態様によれば、比較的簡単な構成でヘッドサポートの長さを変化させることができる。さらに、前記ヘッドサポートが前記頭部保護部に対して抜き差し可能な別部品として構成されている場合、前記長さ調整手段は、前記ヘッドサポートの前記頭部保護部に隠れる部分に設けてもよい。この場合には長さ調整手段が頭部保護部内に隠れるのでこれが幼児に当たるおそれがなく、かつ頭部保護部の周囲から長さ調整ベルトやフック等の部品が露出せず外観品質も向上する。
【００１１】
なお、以上の説明では本発明の理解を容易にするために添付図面の参照符号を括弧書きにて付記したが、それにより本発明が図示の形態に限定されるものではない。
【発明の効果】
【００１２】
以上に説明したように、本発明によれば、ヘッドサポートと肩帯とを相対回転可能な一対の留め具にて連結するとともに、ヘッドサポートの支持部を弓形に湾曲させ、かつその両端の連結部は湾曲した支持部の外周側に折れ曲がるように設けているので、頭部保護部を折り返す際にヘッドサポートの両端部を裏返して肩帯に付け直す必要がなく、頭部保護部を延ばした状態で支持部を外側に張り出すようにして幼児の頭部回りに十分なスペースを確保でき、しかも、頭部保護部を折り返した際の支持部の内側へのヘッドサポートの捻れを抑えて幼児の頭部回りの快適性を高く維持することができる。
【発明を実施するための最良の形態】
【００１３】
図１は本発明の一形態に係る子守帯の使用状態を示す斜視図、図２は縦抱き用シートを半開き状態にした斜視図、図３は子守帯１の正面図、図４は子守帯１の背面図である。これらの図から明らかなように、子守帯１は使用者（一例として親）に装着される子守帯本体２と、その子守帯本体２に対して着脱可能な縦抱き用シート３とを備えている。子守帯本体２は使用者の肩回りに装着される一対の肩帯４を備えている。縦抱き用シート３は幼児を縦抱き状態で保持するためのものであり、肩帯４の前側４ａに装着される。なお、子守帯本体２には縦抱き用シート３に代えて横抱き用シート等の他のアタッチメントを装着できるようにしてもよいが、本形態の子守帯１は肩帯４の前側４ａに縦抱き用シート３を装着して幼児を前向き又は後向きで抱っこする縦抱き専用品として構成されている。
【００１４】
図４及び図５に示すように、肩帯４の背側４ｂには互いに接近する方向の湾曲が付されている。その湾曲の頂点は概ね使用者の背中の中心部に合わせられており、そこには肩帯４同士を連結するための連結手段としての回転バックル装置５が設けられている。回転バックル装置５は、一対の肩帯４のそれぞれに取り付けられて互いに連結及び連結解除が可能な一対の連結具としてのオスバックル６及びメスバックル７を備えている。これらのバックル６、７を相互に連結することにより、一対の肩帯４の背側４ｂをクロスタイプ、つまりは一対の肩帯が使用者１００（図５）の背中で交差するタイプの肩帯と同様に使用者１０の背中に添わせ、使用者１００に加わる荷重を適切に分散させることができる。縦抱きシート３を肩帯４の前側４ａに装着した場合には、縦抱き用シート３に加わる幼児の体重で子守帯１が前方に引っ張られるため、一対の肩帯４の背側４ｂを上記のようにクロスタイプに近い構成とすれば、使用者１００の背中の中心部から肩にかけて荷重を適度に分散させて使用者１００の負担を軽減することができる。なお、このような荷重分散効果を高めるには肩帯４の背側４ｂの幅をなるべく広く設定することが望ましいが、その一方で肩帯４の幅が広すぎれば使用者１００の体格に肩帯４が合わなくなるおそれがある。このような観点から、肩帯４の幅は例えば６０ｍｍ〜７０ｍｍの範囲に設定することが望ましい。
【００１５】
回転バックル装置５の詳細を説明する。図６は回転バックル装置５のオスバックル６とメスバックル７とを相互に連結した状態を示す斜視図、図７はオスバックル６とメスバックル７との連結を解除した状態を示す斜視図である。また、図８は回転バックル装置５の正面図、図９は回転バックル装置５の背面図、図１０は図８のＸ−Ｘ線に沿った断面図、図１１は図８のＸＩ−ＸＩ線に沿った断面図である。これらの図に示すように、オスバックル６は、ベース１０と、そのベース１０から突出するタング１１とを備えている。ベース１０にはオスバックル６を一方の肩帯４に取り付けるためのベルト通し穴１２が設けられている。タング１１にはベース１０と一体成形されたリング部１３と、そのリング部１３の内周に基部１４ａを介して接合された操作部１４とが設けられている。操作部１４は基部１４ａを軸としてオスバックル６の厚さ方向（図８において紙面と直交する方向）に弾性変形可能である。図９から明らかなように操作部１４には円形の掛止部１４ｂが設けられている。掛止部１４ｂは基部１４ａに近付くほどその高さが漸次低くなる楔状に形成されている。なお、オスバックル６は樹脂を素材とした一体成形品である。
【００１６】
一方、メスバックル７は、ベース１６と、そのベース１６から延ばされたソケット１７とを備えている。ベース１６にはメスバックル７を他方の肩帯４に取り付けるためのベルト通し穴１８が設けられている。図１０及び図１１から明らかなように、ソケット１７はメスバックル７の厚み方向（同じく図８において紙面と直交する方向）に対向する一対の壁部２０、２１とそれらの壁部２０、２１を相互に結ぶ一対の側壁２２とを有している。これら壁部２０、２１及び側壁２２の内側にはオスバックル６のタング１１を受け入れる凹部２３が形成されている。さらに、メスバックル７の裏面側の壁部２１には凹部２３に通じる円形の抜き孔２４が形成されている。オスバックル６のタング１１を凹部２３に差し込んだ場合、図９に示すように掛止部１４ｂが抜き孔２４に嵌り込み、図１０に示すように操作部１４の掛止部１４ｂが抜き孔２４の内壁に引っ掛かってメスバックル７からのオスバックル６の引き抜きが不能となる。操作部１４を押し込んで掛止部１４ｂと抜き孔２４の内壁との噛み合いを外せば、オスバックル６をメスバックル７から引き抜いて回転バックル装置５の連結を解除することができる。なお、メスバックル７も樹脂を素材とした一体成形品である。
【００１７】
オスバックル６とメスバックル７とが連結された状態（掛止部１４ｂが抜き孔２４の内壁に掛かっている状態）において、掛止部１４ｂは抜き孔２４の内壁に沿って回転可能である。従って、図１２に示したようにメスバックル７に対してオスバックル６が掛止部１４ｂを軸として回転可能である。これにより、一対の肩帯４は抜き孔２４の中心ＣＰの回りに相互に回転できるようになる。これにより使用者の体格の相違に応じて肩帯４の背側４ｂの開き具合が変化し、様々な体格の使用者に肩帯４をフィットさせることができる。
【００１８】
メスバックル７に対するオスバックル６の回転は、オスバックル６のタング１１が側壁２２と接する範囲で許容される。従って、側壁２２はオスバックル６の回転範囲を制限するストッパとして機能する。オスバックル６の回転範囲が必要以上に大きいと肩帯４が開きすぎて装着時の安定性が損なわれるおそれがあり、その回転範囲が不足すれば体格に応じた調整機能が損なわれる。このような観点から、メスバックル７に対するオスバックル６の回転角度θ、具体的には両バックル６、７が一直線に並んだ状態を基準とした片側の最大回転角度θは例えば１０°〜２０°の範囲に制限することが望ましい。
【００１９】
図１３は回転バックル装置５のバックル６、７を肩帯４に取り付けた状態を示す断面図である。バックル６、７はそれぞれそのベルト通し穴１２、１８に通されたバックル固定ベルト２６の両端部を肩帯４の外面に重ね合わせて縫製ラインＳＬ１上で縫い付けることにより肩帯４に固定される。この際、メスバックル７は抜き孔２４が設けられた壁部２１を肩帯４の内面側（使用者と対向する側）に向けるように取り付けられ、オスバックル６もそれに合わせた向きで肩帯４に取り付けられる。バックル固定ベルト２６にはさらにバックルカバー２７が重ね合わされ、それらのバックルカバー２７は縫製ラインＳＬ２上で肩帯４に縫い付けられる。なお、縫製ラインＳＬ１はなるべくバックル６、７に近い位置に設定することが望ましい。
【００２０】
上述した向きでバックル６、７が肩帯４に固定された場合、バックル６、７の連結を解除するには図１４に示したように使用者１００が肩帯４の内面側に指（例えば親指）を入れてオスバックル６の操作部１４（掛止部１４ｂ）を外側に向かって押し込めばよい。従って、連結解除のための操作部をバックルの上下に設けてそれらの操作部を使用者が挟むようにして連結を解除する構成と比較して、使用者１００が比較的容易にバックル６、７の連結を解除することができる。また、操作部１４が内面側を向き、かつバックル６、７が肩帯４の外面側に重ねられて操作部１４と使用者１００の背中との間に肩帯４の厚み相当の隙間が確保されるので、使用者１００の背側に外側から物があたる等してバックル６、７が押されてもバックル６、７の連結が解除されるおそれがない。
【００２１】
なお、図１０から明らかなように、掛止部１４ｂが抜き孔２４に嵌り込んだ状態で掛止部１４ｂは壁部２１の表面よりも凹部２３側に後退している。これにより、仮にバックル６、７が使用者の背中に当たるまで押されても壁部２１が操作部１４に対するガードとなり、操作部１４が意図せずに押し込まれるおそれがより確実に排除される。また、図１５に示したように、メスバックル７の壁部２０、２１のうち、肩帯４の外面側に配置される壁部２０は肩帯４の内面側に配置される壁部２１よりも凹部２３の開口方向に突出する。また、内面側の壁部２１には、凹部２３の開口方向に向かうほど一対の壁部２０、２１同士の間隔を拡大させるテーパ面２１ａが設けられている。このような形状をメスバックル７に与えることにより、オスバックル６のタング１１をメスバックル７のソケット１７に差し込み易くなる。すなわち、壁部２０を長くしたことにより、オスバックル６のタング１１をメスバックル７に対して斜め内側から接近させてタング１１を壁部２０に突き当て、その壁部２０をガイドとしてタング１１を送り込むことができる。また、テーパ面２１ａを設けたことにより凹部２３の口元が広がってタング１１をソケット１７に差し込み易くなる。
【００２２】
図１〜図３に示すように、子守帯本体２の肩帯４の下部には肩帯４の前側４ａと背側４ｂとを繋ぐアジャストベルト３０が設けられている。各アジャストベルト３０の一端は肩帯４の前側４ａの下端部（図１及び図２では縦抱き用シート３に隠れて見えていない。）に縫い付けられ、他端はラダー３１を介して肩帯４の背側４ｂの下端部４ｃに連結されている。肩帯４の前側の下端部４ｃからラダー３１までのアジャストベルト３０の長さを調整することにより、肩帯４の長さを使用者の体格に合わせて変化させることができる。
【００２３】
図１６に示すように、肩帯４の背側４ｂにおいてラダー３１の取付位置よりも下方にはめくれ防止帯３２が取り付けられている。ラダー３１に通される前のアジャストベルト３０をそのめくれ防止帯３２に通すことにより、アジャストベルト３０と肩帯４の背側４ｂの下端部４ｃとを束ねて下端部４ｃのめくれ上がりを防止することができる。なお、ラダー３１から引き出されたアジャストベルト３０の余長部３０ａをそのめくれ防止帯３２にさらに通してもよい。
【００２４】
次に、縦抱き用シート３について説明する。図１〜図３に示すように、縦抱き用シート３は、幼児の臀部を指示する底部４０と、その底部４０に続いて幼児の背側又は胸側を支えるシート本体部４１と、シート本体部４１の上端に続く頭部保護部４２とを備えている。底部４０は肩帯４の前側４ａの下端に連結される。底部４０の両側には幼児の足を通すための足抜き部４３が形成される。シート本体部４１にはメッシュ素材等で構成された折り畳み可能な変形部４１ａが設けられており、ベルト通し４１ｃに通されたアジャストベルト４１ｂの長さ調整によりその変形部４１ａの折り畳み量を調整してシート本体部４１の幅を幼児の体格に合わせて変化させることができる。また、アジャストベルト４１ｂの下方にもブリッジベルト４１ｄが設けられており、これらをホック４１ｅ、４１ｆにて相互に連結することにより幼児の股部分におけるシート本体部４１の幅を変化させることができる。
【００２５】
シート本体部４１の両側にはホールド部４４が設けられている。ホールド部４４の幅（上下方向の長さ）は幼児の脇下から腿上までを覆える程度に設定されている。各ホールド部４４と各肩帯４の前側４ａとはサイドバックル装置４５を介して着脱自在に連結される。頭部保護部４２はヘッドサポート４６及び回転バックル装置４７を介して肩帯４と連結される。
【００２６】
以下、サイドバックル装置４５について説明する。図１７はサイドバックル装置４５の連結状態の斜視図、図１８はサイドバックル装置４５の連結解除状態の斜視図、図１９はサイドバックル装置４５の平面図、図２０はサイドバックル装置４５の正面図である。また、図２１は図１９のXXI−XXI線に沿った断面図、図２２は図２０のXXII−XXII線に沿った断面図、図２３は図２０のXXIII−XXIII線に沿った断面図である。これらの図に示すように、サイドバックル装置４５は、シート側留め具としてのオスバックル５０と、本体側留め具としてのメスバックル５１とを備えている。図１８及び図２１〜図２３から明らかなように、オスバックル５０は、バックル本体（留め具本体）５２と一体の掛止部５３とを備えている。これらのバックル本体５２と掛止部５３とは樹脂を素材として一体成形されている。
【００２７】
バックル本体５２は一方向に長いベース５２ａと、そのベース５２ａの表面側に直交させて一体的に設けられた平板状のハンドル５２ｂとを備えている。ベース５２ａの一端にはロック解除手段としての摘み部５４が設けられている。摘み部５４はベース５２ａの長手方向中心側に向かって開くＵ字型に形成されており、そのＵ字型の基部に当たる連絡部５４ａを介してハンドル５２ｂと連結されている。連絡部５４ａを除く摘み部５４の周囲はスリット５５によってベース５２ａ及びハンドル５２ｂのそれぞれから分離されている。摘み部５４の両端にはロック解除操作のための操作部５４ｂが形成されている。各操作部５４ｂの下方にはロック５６が一体的に形成されており、各ロック５６の先端はベース５２ａの裏面から突出する。ロック５６もまたスリット５５によってベース５２ａ及びハンドル５２ｂのそれぞれから分離されている。従って、左右の操作部５４ｂを摘むとロック５６もバックル本体５２の幅方向（図１９において上下方向）に互いに接近するように変位する。バックル本体５２のハンドル５２ｂには、オスバックル５０を縦抱き用シート３のホールド部４４の先端に取り付けるためのスロット５２ｃが適宜数（図では２つ）形成されている。一方、掛止部５３はベース５２ａの長手方向に距離をおいて設けられている。各掛止部５３は、ベース５２ａの裏面から突出する平板状の連絡部５３ａと、その連絡部５３ａの先端に続くフランジ５３ｂとを備えた逆Ｔ字状に形成されている。
【００２８】
図１８に詳しく示すように、メスバックル５１は一方向に長いベース６０と、そのベース６０に設けられた一対の受け部６１とを有している。受け部６１はオスバックル５０の掛止部５３と噛み合う部分であり、掛止部５３の連絡部５３ａを通すためのスリット６１ａと、掛止部５３のフランジ５３ｂを収容する凹部６１ｂとを備えている。凹部６１ｂはベース６０の長手方向一端側（図１８の奥側）に向かって開口し、スリット６１ａは凹部６１ｂの開口端まで延びている。ベース６０の一端側の受け部６１に関しては、そのスリット６１ａの一対の内壁のそれぞれにロック受け溝６１ｃがさらに設けられている。また、ベース６０の長手方向両端部及び中間部のそれぞれにはベース６０を肩帯４に取り付けるための取付穴６２が設けられている。
【００２９】
以上のようなサイドバックル装置４５においては、オスバックル５０の掛止部５３のフランジ５３ｂをメスバックル５１の受け部６１の凹部６１ｂに差し込んで連絡部５３ａをスリット６１ａに通すことにより、掛止部５３を受け部６１と噛み合わせて両バックル５０、５１を連結することができる。その連結状態ではオスバックル５０のロック５６が受け部６１のロック受け溝６１ｃに噛み合うことにより、受け部６１に対する掛止部５３の噛み合いの解除が不能となり、それによりオスバックル５０がメスバックル５１に対して連結状態に拘束される。オスバックル５０をメスバックル５１から取り外すには、摘み部５４の操作部５４ｂを摘んでロック５６を弾性変形させてロック受け溝６１ｃから外し、その状態でオスバックル５０を受け部６１の凹部６１ｂの開口方向にスライドさせればよい。
【００３０】
図２及び図２４に示したように、メスバックル５１はその受け部６１の開口方向を上に向けた状態で肩帯４の前側４ａに取り付けられる。一方、オスバックル５０は摘み部５４を上にして縦抱き用シート３のホールド部４４の先端に取り付けられる。なお、図２及び図２４では一方のホールド部４４と一方の肩帯４とへのバックル５０、５１の取り付け状態のみを示すが反対側も同一である。以上のようにバックル５０、５１が取り付けられることにより、掛止部５３及び受け部６１がそれぞれ上下方向に適度な間隔をおいて並ぶようになる。そして、図２４に矢印で示すようにホールド部４４のオスバックル５０の掛止部５３のそれぞれを斜め上から肩帯４のメスバックル５１の受け部６１に噛み合わせることにより、ホールド部４４を肩帯４に連結することができる。
【００３１】
上記の連結状態では上下一対の掛止部５３がそれぞれの受け部６１と噛み合っているので、万が一いずれか一方の掛止部５３や受け部６１が破損しても残る一方の掛止部５３と受け部６１とによってホールド部４４と肩帯４との連結が維持される。従って、安全性が高い。なお、上側の掛止部５３を下側の受け部６１に取り付ける等の誤りが生じないように、掛止部５３のフランジ５３ｂの厚みと幅は上下の掛止部５３間で互いに異なっている。
【００３２】
また、単一のオスバックル５０をメスバックル５１に沿ってスライドさせるだけで複数の掛止部５３と受け部６１とを一括して噛み合わせることができるので、掛止部５３と受け部６１とを個別に噛み合わせる場合と比して手間がかからない。さらに、ホールド部４４を肩帯４から外す場合には単一の摘み部５４を摘むだけでよいために手間がかからない。但し、一対の操作部５４ｂを同時に押し込まない限りはメスバックル５１に対するオスバックル５０の拘束が解除されないので、その拘束が不用意に解除されるおそれもない。しかも、図２から明らかなように、バックル５０、５１を外すだけで縦抱き用シート３の側部が完全に開くので幼児の乗せ降ろしを容易に行える。さらに、オスバックル５０とメスバックル５１とがホールド部４４の上下方向の幅のほぼ全長に亘って延びているので、バックル５０、５１を連結すればホールド部４４がほぼ全幅に亘って肩帯４と連結されるようになり、幼児の側方に隙間がなくなるので安全性がさらに高まる。なお、上下の掛止部５３を一体に連続させた場合でもホールド部４４をほぼ全幅に亘って肩帯４と連結することができるが、その場合にはホールド部４４の下端をメスバックル５１の上端まで持ち上げてバックル５０、５１を連結する必要がある。これに対して、図２４から明らかなように掛止部５３及び受け部６１が上下に分離されている場合には、各掛止部５３が対応する受け部６１の直ぐ上に位置する状態までホールド部４４を持ち上げるだけでよいためにホールド部４４の操作に関する負担が少なくて済む。
【００３３】
図２５に示すように、ホールド部４４の先端には、縦抱き用シート３の外面側に配置される外カバー部６５ａと、縦抱き用シート３の内面側に配置される内カバー部６５ｂとからなるバックルカバー６５が設けられている。オスバックル５０はそのバックルカバー６５内に埋め込まれるように配置されている。図２６に示したようにオスバックル５０のスロット５２ｃ（図１８参照）にはバックル固定ベルト６６が通され、それらのバックル固定ベルト６６は縫製ラインＳＬ３上で外カバー部６５ａ及び内カバー部６５ｂとともに一体的に縫い合わされる。これによりオスバックル５０がホールド部４４に固定される。
【００３４】
図２５から明らかなように、バックルカバー６５の内カバー部６５ｂは外カバー部６５ａよりもホールド部４４の先端側に長く設けられており、その長さはバックル５０、５１同士を連結させた状態でメスバックル５１をもほぼ完全に覆う程度に設定されている。このように内カバー部６５ｂを設けることにより、縦抱き用シート３に収容された幼児とバックル５０、５１との接触を防止することができる。図２５及び図２７に示すように、内カバー部６５ｂにはめくれ防止用の平板状の芯材６７が内蔵されている。芯材６７としては例えば密に編まれたベルト材、樹脂材等が利用できる。但し、図２７から明らかなように、オスバックル５０の操作部５４ｂをバックルカバー６５の外側から押し込み操作できるように、内カバー部６５ｂの操作部５４ｂと対向する部分には芯材６７が設けられていない。また、外カバー部６５ａにはそのような芯材６７が設けられていない。これにより、バックルカバー６５の操作部５４ｂと対向する部分は低剛性部として構成されている。さらに、図２８に示すように、バックルカバー６５の表面には操作部５４ｂと位置を合わせるようにして識別標識６８が設けられている。この識別標識６８の部分を使用者が摘むことによりバックルカバー６５の外側から操作部５４ｂを確実に押し込むことができる。
【００３５】
図２６に示すように、バックルカバー６５の外カバー部６５ａの表面には帯状の持ち手６９がホールド部４４を上下方向に横断するように設けられている。持ち手６９はその上下端において縫製ラインＳＬ４に沿ってバックルカバー６５と一体的に縫い合わされている。持ち手６９は、バックル５０、５１の連結及び連結解除操作時にホールド部４４を使用者が保持するために設けられている。持ち手６９には芯材を設けることが望ましい。使用者は、図２６に矢印Ｙで示すようにホールド部４４の基部側から先端側に向かって持ち手６９とバックルカバー６５との間に指を指し入れてホールド部４４を持ち上げてオスバックル５０をメスバックル５１と連結させることができる。この際、使用者が指を入れ易いように縫製ラインＳＬ４はホールド部４４の先端に向かって斜め上方に延びるように設定されている。また、持ち手６９による支持位置とオスバックル５０の掛止部５３とはなるべく接近していることが望ましく、そのために持ち手６９は縫製ラインＳＬ３になるべく近い位置に設けるとよい。
【００３６】
次に、ヘッドサポート４６及びこれを取り付けるための回転バックル装置４７について説明する。図２９はヘッドサポート４６の使用状態を示す。縦抱き用シート３の頭部保護部４２は縦抱き用シート３に保持された幼児１０１の頭部を支えるように設けられ、かつ両側が開口した袋状に構成されている。ヘッドサポート４６はその頭部保護部４２の内部に通された上で幼児１０１の側方に回され、その両端が回転バックル装置４７を介して肩帯４に連結される。図３１及び図３２に示したように、頭部保護部４２は縦抱き用シート３の外側かつ下方に向かって二段階に折り返し可能である。図３１に示すように頭部保護部４２が浅く折り返された状態ではヘッドサポート４６は幼児１０１の肩回りを経由して肩帯４と連結される。一方、図３２に示したように頭部保護部４２が深く折り返された状態ではヘッドサポート４６は幼児１０１の脇下を回って肩帯４と連結される。
【００３７】
このように頭部保護部４２を折り返す場合、ヘッドサポート４６の頭部保護部４２から引き出されている部分は縦抱き用シート３の内側に入り込むように捻られる。これを放置すれば幼児１０１の頭部回りのスペースが狭められる。本形態のヘッドサポート４６及び回転バックル装置４７はこのようなヘッドサポート４６の変位を抑えるための特徴を備えている。以下、ヘッドサポート４６及び回転バックル装置４７について説明する。
【００３８】
図３３はヘッドサポート４６の正面図、図３４はその裏面図である。これらの図に示すように、ヘッドサポート４６は弓側に湾曲した支持部７０と、支持部７０の両端に配置された一対の連結部７１とを有している。支持部７０の中央には変形部７２が設けられ、その変形部７２の両側には二対のフック７３ａ、７３ｂが設けられている。変形部７２はヘッドサポート４６に内蔵されるパッド等の内装材が省略されて折り畳み可能に設けられている。変形部７２を折り畳んでフック７３ａ、７３ｂ同士を噛み合わせることによりヘッドサポート４６の長さを調整することができる。これにより、変形部７２及びフック７３ａ、７３ｂは長さ調整手段として機能する。これらの変形部７２及びフック７３ａ、７３ｂはヘッドサポート４６の頭部保護部４２にて隠される部分に配置されている。従って、幼児のヘッドスペースにこれらの部品は露出せず、幼児の快適性が保たれる。なお、フック７３ａ、７３ｂは一対でもよい。長さ調整手段は例えば変形部７２の両端にベルトとラダーを設けて変形部７２の折り畳み長さを無段階に調整できるようしたもの等、種々変形が可能である。
【００３９】
連結部７１は支持部７０の両端から支持部７０の湾曲方向外周側に折れ曲がるように延びている。支持部７０と連結部７１との境界にはヘッドサポート４６の生地を縫い合わせることによって折り曲げ線７４が形成されている。折り曲げ線７４は支持部７０と連結部７１との間に曲げ癖を付けるために設けられている。折り曲げ線７４を形成するための縫製はヘッドサポート４６の片面側にのみ実施されてもよいし、ヘッドサポート４６を厚み方向に貫くように実施されてもよい。なお、ヘッドサポート４６は支持部７０の湾曲方向に対して外周側が上方となる向きで頭部保護部４２に装着される。すなわち、支持部７０が頭部保護部４２から下方に向かって弓形に湾曲しつつ延びるような向きでヘッドサポート４６が頭部保護部４２に取り付けられる。
【００４０】
連結部７１には回転バックル装置４７のオスバックル７５が取り付けられている。図３５及び図３７に示すように、オスバックル７５は円板状のベース７６とそのベース７６の中心位置から突出する掛止部７７とを有している。掛止部７７はベース７６と同軸の支軸７７ａとその支軸７７ａの先端に配置されたフランジ７７ｂとを備えている。ベース７６には掛止部７７を挟むようにして一対のベルト通し穴７８が設けられている。ベース７６の表面７６ａには掛止部７７を頂点として球面状の膨らみが付されている。また、その表面７６ａにはロック手段として一対の凸部７９ａ、７９ｂが設けられている。これらの凸部７９ａ、７９ｂは掛止部７７から互いに等しい距離に設けられている。このようなオスバックル７５はベルト通し穴７８にそれぞれ通されるバックル固定ベルト８０がヘッドサポート４６の連結部７１に縫い付けられることによってそれらの連結部７１に取り付けられる（図３４参照）。なお、オスバックル７５はヘッドサポート４６の外面側、つまり幼児と対向する側に対する反対面側に取り付けられる。
【００４１】
図３６は回転バックル装置４７のメスバックル８１を示している。図３７にも示したように、メスバックル８１はオスバックル７５の掛止部７７を通すための通し穴８１ａと、掛止部７７のフランジ７７ｂと噛み合う凹部８１ｂと、掛止部７７の軸部７７ａを通すためのスリット８１ｃとを備えている。通し穴８１ａに差し込まれた掛止部７７の軸部７７ａをスリット８１ｃに差し込んで凹部８１ｂとフランジ７７ｂとを噛み合わせることにより、オスバックル７５とメスバックル８１とが掛止部７７の軸部７７ａを中心として相互に回転可能に連結される。
【００４２】
なお、メスバックル８１にはベルト通し穴８１ｄが設けられている。ベルト通し穴８１ｄはスリット８１ｃに対して通し穴８１ａを挟んで反対側に設けられている。メスバックル８１の表面（オスバックル７５と対向する面）８１ｅにはロック手段としての一対の凹部８２ａ、８２ｂと、それらの凹部８２ａ、８２ｂに通じる案内溝８３ａ、８３ｂとが設けられている。凹部８２ａ、８２ｂはスリット８１ｃにおける回転中心ＲＣ（そこに差し込まれる掛止部７７の軸中心と一致する。）に対して互いに等しい距離に設けられている。また、案内溝８３ａ、８３ｂはその回転中心ＲＣを軸として湾曲している。以上のようなメスバックル８１は、そのベルト通し穴８１ｄに通されるバックル固定ベルト８４が肩帯４に縫い付けられることにより、バックル固定ベルト８４から吊り下げられるようにして肩帯４に固定される（図２参照）。
【００４３】
以上のような構成によれば、ヘッドサポート４６に固定されたオスバックル７５の掛止部７７を肩帯４側のメスバックル８１の通し穴８１ａに差し込んでオスバックル７５を引き下げることにより掛止部７７の連結軸部７７ａがスリット８１ｃに入ってバックル７５、８１が互いに連結される。これにより、ヘッドサポート４６が肩帯４と連結される。連結状態においてオスバックル７５がメスバックル８１に対して回転できるため、縦抱き用シート３の頭部保護部４２を下方に折り返した場合でもヘッドサポート４６の両端を裏返して肩帯４に付け直す必要がない。また、頭部保護部４２を延ばした状態ではヘッドサポート４６の支持部７０に付された湾曲によりヘッドサポート４２が外側に張り出すようになり幼児の頭部回りのスペースが拡大して幼児の快適性が高まる。
【００４４】
また、頭部保護部４２を下方に折り返すことによってヘッドサポート４６が内側に捻られた場合には、それに伴ってオスバックル７５が図２９に矢印Ｍで示したように内側に回転するが、連結部７１が支持部７０に対して湾曲方向外周側へ折れ曲がっているために、ヘッドサポート４６の全体を弓形に湾曲させた場合と比較して連結部７１の回転に対する支持部７０の内側への捻れの程度が小さくなる。しかも、連結部７１に対して支持部７０が折り曲げ線７４に沿って折れ曲がることにより、支持部７０の内側への捻れは一層軽減され、それによりヘッドサポート４６の内側への変位が抑えられる。また、オスバックル７５が回転中心を挟んで両側で連結部７１に固定されているので、頭部保護部４２を押し返した際にオスバックル７５に対して連結部７１が内側にずれて支持部７０が縦抱き用シート３の内方に入り込むおそれもない。
【００４５】
頭部保護部４２を延ばした状態、頭部保護部４２を折り返した状態のそれぞれにおいて、バックル７５の凸部７９ａ、７９ｂと凹部８２ａ、８２ｂとが適宜に噛み合う。具体的には、頭部保護部４２が延ばされた状態においては、右肩側のオスバックル７５の凸部７９ａがメスバックル８１の凹部８２ａと噛み合い、左肩側のオスバックル７５の凸部７９ｂがメスバックル８１の凹部８２ｂと噛み合う。一方、頭部保護部４２が折り返された状態においては、右肩側のオスバックル７５の凸部７９ｂがメスバックル８１の凹部８２ｂと噛み合い、左肩側のオスバックル７５の凸部７９ａがメスバックル８１の凹部８２ａと噛み合う。このような噛み合いにより、オスバックル７５を頭部保護部４２を延ばした状態に適した位置、及び頭部保護部４２を折り返した状態に適した位置にそれぞれ適度な力で拘束してオスバックル７５の周方向の遊びを抑え、それによりヘッドサポート４６の姿勢を安定させることができる。なお、ヘッドサポート４６は頭部保護部４２に対して取り外し不能であってもよい。
【００４６】
図２９に示したように、子守帯１は涎掛け９０をさらに備えている。涎掛け９０は幼児を後向きに対面抱っこした場合、幼児を前向きに抱っこした場合のいずれにおいて使用できるように構成されている。図３８は涎掛け９０の正面図、図３９はその裏面図である。これらの図に示すように、涎掛け９０には、幼児の涎を受ける涎掛け本体９１と、涎掛け本体９１の裏面側に設けられるポケット９２と、そのポケット９２の両側に配置される上部留め具としての押し込み式のホック９３と、涎掛け本体９１の下部側縁に設けられた下部留め具としての一対の留め紐９４とを備えている。
【００４７】
ポケット９２は袋状に構成されており、頭部保護部４２に被せるようにして縦抱き用シート３に装着可能である。ポケット９２の両側にはヘッドサポート４６を通過させる開口部９２ａが設けられている。留め紐９４にはこれらを互いに連結及び分離するためのホック９５ａ、９５ｂがそれぞれ適宜数（図では二つずつ）設けられている。
【００４８】
幼児を前向き抱っこで保持する場合には、図４０に示すように涎掛け本体９１を頭部保護部４２の内面側に垂らしつつ頭部保護部４２にポケット９２を被せる。また、留め紐９４を縦抱き用シート３のシート本体部４１に巻き付けてホック９５ａ、９５ｂで相互に連結する。この状態から図４１に示すように頭部保護部４２を下方に折り返すと、その折り返し部分が涎掛け本体９１にて覆われる。これにより前向き抱っこで保持する際に汚れやすい頭部保護部４２の折り返し部分を涎掛けにて保護することができる。一方、幼児を対面抱っこする際には肩帯４の胸元付近が汚れやすいため、図２９に示すように涎掛け本体９１を肩帯４の前側４ａの胸元付近に配置し、各肩帯４に設けられたホック４ｄ（図２に片側のみ示す。）と涎掛け９０の上部のホック９３に留める。また、留め紐９４を両肩帯４の内面側に回してホック９５ａ、９５ｂを相互に留め付ける。前向き抱っこ及び対面抱っこのいずれの場合でも、涎掛け９０の上部がポケット９２又はホック９３によって固定され、かつ下部も留め紐９４にて固定されるので、涎掛け９０がずれたり上方にめくれるおそれがない。なお、涎掛け９０の取り付けは幼児を抱っこする前でも後でもよい。肩帯４のホック４ｄは肩帯４の内面側に設けられてもよい。子守帯１が幼児のおんぶもできるように構成されている場合には肩帯４の背側４ｂにもホック４ｄを取り付けておんぶ時にも涎掛け９０を使用可能としてもよい。
【００４９】
本発明は以上の形態に限らず種々の形態にて実施してよい。例えば、縦抱き用シート３は子守帯本体１に対して完全に分離可能なものに限らず、幼児を乗せ降ろしするために一部のみが子守帯本体２に対して着脱可能であってもよい。肩帯４の背側４ｂ同士を連結する連結具は回転バックル装置５に限らずフック状、ホック状のもの等を使用できる。縦抱き用シート３のホールド部４４を肩帯４と連結するための留め具に関しては、サイドバックル装置４５のメスバックル５１の受け部６１を共通のベース６０上に設けたものに限らず、受け部６１毎にベースが異なってもよい。すなわち、オスバックル５０の掛止部５３が単一のバックル本体５２に設けられている限りにおいて、それらの掛止部５３の一括的な連結及び連結解除を実現することができる。受け部６１を分離した場合、ロック受け溝６１ｃはいずれかの受け部６１に設けてもよいし、それらの受け部とは別部材に設けてもよい。掛止部５３の形状は図示のものに限定されず、例えば鈎形であってもよい。ヘッドサポート４６を肩帯４と連結するための留め具に関しても回転バックル装置４７に限らずホック状のもの等を利用してもよい。涎掛け９０の上部留め具及び下部留め具もホック９３、留め紐９４に限らず、涎掛け本体９０を子守帯本体２や縦抱き用シート３に固定できる限りにおいてバックル、ベルトその他の各種の固定手段を利用してよい。
【図面の簡単な説明】
【００５０】
【図１】本発明の一形態に係る子守帯の使用状態を示す斜視図。
【図２】縦抱き用シートを半開き状態にした斜視図。
【図３】子守帯の正面図。
【図４】子守帯の背面図。
【図５】肩帯を使用者に装着した状態を使用者の背側から見た状態を示す図。
【図６】回転バックル装置のオスバックルとメスバックルとを相互に連結した状態を示す斜視図。
【図７】オスバックルとメスバックルとの連結を解除した状態を示す斜視図。
【図８】回転バックル装置の正面図。
【図９】回転バックル装置の背面図。
【図１０】図８のＸ−Ｘ線に沿った断面図。
【図１１】図８のＸＩ−ＸＩ線に沿った断面図。
【図１２】オスバックルをメスバックルに対して回転させた状態を示す図。
【図１３】回転バックル装置のバックルを肩帯に取り付けた状態を示す断面図。
【図１４】回転バックル装置の連結を解除する際の操作を示す図。
【図１５】回転バックル装置のオスバックルをメスバックルに連結する様子を示す図。
【図１６】肩帯の長さ調整用のアジャストベルトと肩帯の背側の下端との連結部分を示す図。
【図１７】サイドバックル装置の連結状態の斜視図。
【図１８】サイドバックル装置の連結解除状態の斜視図。
【図１９】サイドバックル装置の平面図。
【図２０】サイドバックル装置の正面図。
【図２１】図１９のXXI−XXI線に沿った断面図。
【図２２】図２０のXXII−XXII線に沿った断面図。
【図２３】図２０のXXIII−XXIII線に沿った断面図。
【図２４】サイドバックル装置を利用して縦抱き用シートのホールド部を肩帯に連結する様子を示す図。
【図２５】ホールド部の先端に設けられたバックルカバーとサイドバックル装置との関係を示す図。
【図２６】ホールド部の先端におけるオスバックルの取付部分をホールド部の外面側から見た様子を示す図。
【図２７】オスバックルとバックルカバー及びその芯材との関係を示す図。
【図２８】バックルカバーに識別標識を設けた状態を示す図。
【図２９】ヘッドサポートの使用状態を示す図。
【図３０】ヘッドサポートの使用状態を別の方向から示す図。
【図３１】縦抱き用シートの頭部保護部を浅く折り返した状態を示す図。
【図３２】縦抱き用シートの頭部保護部を深く折り返した状態を示す図。
【図３３】ヘッドサポートの正面図。
【図３４】ヘッドサポートの裏面図。
【図３５】ヘッドサポート取り付け用の回転バックル装置を構成するオスバックルの平面図。
【図３６】ヘッドサポート取り付け用の回転バックル装置を構成するメスバックルの平面図。
【図３７】回転バックル装置のオスバックルとメスバックルとを相互の連結した状態を示す断面図。
【図３８】涎掛けの正面図。
【図３９】涎掛けの裏面図。
【図４０】縦抱き用シートの頭部保護部に涎掛けを取り付けた状態を示す図。
【図４１】図４０の状態から頭部保護部を下方に折り返した様子を示す図。
【符号の説明】
【００５１】
１  子守帯
２  子守帯本体
３  縦抱き用シート
４  肩帯
４ａ  肩帯の前側
４ｂ  肩帯の背側
４ｄ  肩帯のホック（上部留め具）
５  回転バックル装置
６  オスバックル
７  メスバックル
１１  タング
１４  操作部
１４ｂ  掛止部
１７  ソケット
２０、２１  壁部
２１ａ  テーパ面
２２  側壁（ストッパ）
２３  凹部
２４  抜き孔
４０  底部
４１  シート本体部
４２  頭部保護部
４３  ホールド部
４５  サイドバックル装置
４６  ヘッドサポート
４７  回転バックル装置
５０  オスバックル（シート側留め具）
５１  メスバックル（本体側留め具）
５２  バックル本体（留め具本体）
５２ｂ  ハンドル
５３  掛止部
５４  摘み部
５４ｂ  操作部
５５  スリット
５６  ロック
６０  ベース
６１  受け部
６１ｃ  ロック受け溝
６５  バックルカバー
６５ａ  外カバー部
６５ｂ  内カバー部
６７  芯材
６８  識別標識
６９  持ち手
７０  支持部
７１  連結部
７２  変形部（長さ調整手段）
７３ａ、７３ｂ  フック
７４  折り曲げ線
７５  オスバックル（留め具）
７９ａ、７９ｂ  凸部（ロック手段）
８１  メスバックル（留め具）
８２ａ、８２ｂ  凹部（ロック手段）
９０  涎掛け
９１  涎掛け本体
９２  ポケット
９２ａ  ポケットの開口部
９３  ホック（上部留め具）
９４  留め紐（下部留め具）
９５ａ、９５ｂ  ホック（下部留め具）
ＳＬ１〜ＳＬ４  縫製ライン
【図１】
0004612332.tif 000002
【図２】
0004612332.tif 000003
【図３】
0004612332.tif 000004
【図４】
0004612332.tif 000005
【図５】
0004612332.tif 000006
【図６】
0004612332.tif 000007
【図７】
0004612332.tif 000008
【図８】
0004612332.tif 000009
【図９】
0004612332.tif 000010
【図１０】
0004612332.tif 000011
【図１１】
0004612332.tif 000012
【図１２】
0004612332.tif 000013
【図１３】
0004612332.tif 000014
【図１４】
0004612332.tif 000015
【図１５】
0004612332.tif 000016
【図１６】
0004612332.tif 000017
【図１７】
0004612332.tif 000018
【図１８】
0004612332.tif 000019
【図１９】
0004612332.tif 000020
【図２０】
0004612332.tif 000021
【図２１】
0004612332.tif 000022
【図２２】
0004612332.tif 000023
【図２３】
0004612332.tif 000024
【図２４】
0004612332.tif 000025
【図２５】
0004612332.tif 000026
【図２６】
0004612332.tif 000027
【図２７】
0004612332.tif 000028
【図２８】
0004612332.tif 000029
【図２９】
0004612332.tif 000030
【図３０】
0004612332.tif 000031
【図３１】
0004612332.tif 000032
【図３２】
0004612332.tif 000033
【図３３】
0004612332.tif 000034
【図３４】
0004612332.tif 000035
【図３５】
0004612332.tif 000036
【図３６】
0004612332.tif 000037
【図３７】
0004612332.tif 000038
【図３８】
0004612332.tif 000039
【図３９】
0004612332.tif 000040
【図４０】
0004612332.tif 000041
【図４１】
0004612332.tif 000042